【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する無線通信装置であって、
前記外部装置と有線通信によりデータの送受信を行う送受信手段と、
第１の無線通信手段と、
前記第１の無線通信手段よりも低消費電力で動作する第２の無線通信手段と、
前記第２の無線通信手段により前記外部無線通信装置を検索させ、検出された場合に、前記第１の無線通信手段により前記外部無線通信装置との通信を行うように制御する制御手段と
を有することを特徴とする無線通信装置。
【請求項２】
前記第２の無線通信手段により検出した前記外部無線通信装置に応じて前記送受信手段の属性情報の設定を変えることを特徴とする請求項１に記載の無線通信装置。
【請求項３】
前記第１の無線通信手段により前記外部無線通信装置と通信している間、前記送受信手段を能動化し、それ以外の間、前記送受信手段を非能動化する能動化手段と
を更に有することを特徴とする請求項１または２に記載の無線通信装置。
【請求項４】
外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する無線通信装置であって、
前記外部装置と有線通信によりデータの送受信を行う送受信手段と、
第１の通信モードと、該第１の通信モードよりも低消費電力で動作する第２の通信モードとで動作可能な無線通信手段と、
前記第２の通信モードで前記外部無線通信装置を検索させ、検出された場合に、前記第１の通信モードで前記外部無線通信装置との通信を行うように前記無線通信手段を制御する制御手段と
を有することを特徴とする無線通信装置。
【請求項５】
前記第２の通信モードで検出した前記外部無線通信装置に応じて前記送受信手段の属性情報の設定を変えることを特徴とする請求項４に記載の無線通信装置。
【請求項６】
前記第１の通信モードで前記外部無線通信装置と通信している間、前記送受信手段を能動化し、それ以外の間、前記送受信手段を非能動化する能動化手段と
を更に有することを特徴とする請求項４または５に記載の無線通信装置。
【請求項７】
前記送受信手段は前記外部装置から電源供給を受けて動作することを特徴とする請求項１乃至６のいずれか１項に記載の無線通信装置。
【請求項８】
前記送受信手段は、ＵＳＢ通信規格に準拠したプロトコルデータを送受信する送受信手段であり、ＵＳＢのデバイスとして前記外部装置と接続することを特徴とする請求項１乃至７のいずれか１項に記載の無線通信装置。
【請求項９】
前記送受信手段は、前記外部無線通信装置に応じて、ＵＳＢのディスクリプタ情報の少なくともひとつのフィールドの値を変えることを特徴とする請求項８に記載の無線通信装置。
【請求項１０】
外部装置と有線通信によりデータの送受信を行う送受信手段と、第１の無線通信手段と、前記第１の無線通信手段よりも低消費電力で動作する第２の無線通信手段とを有し、前記外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する無線通信装置の制御方法であって、
前記第２の無線通信手段により前記外部無線通信装置を検索する検索工程と、
前記検索工程で前記外部無線通信装置が検出された場合に、前記第１の無線通信手段により前記外部無線通信装置との通信を行うように制御する制御工程と
を有することを特徴とする制御方法。
【請求項１１】
前記第２の無線通信手段により検出した前記外部無線通信装置に応じて前記送受信手段の属性情報の設定を変える工程を更に有することを特徴とする請求項１０に記載の制御方法。
【請求項１２】
前記第１の無線通信手段により前記外部無線通信装置と通信している間、前記送受信手段を能動化し、それ以外の間、前記送受信手段を非能動化する能動化工程を更に有することを特徴とする請求項１０または１１に記載の制御方法。
【請求項１３】
外部装置と有線通信によりデータの送受信を行う送受信手段と、第１の通信モードと、該第１の通信モードよりも低消費電力で動作する第２の通信モードとで動作可能な無線通信手段とを有し、前記外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する無線通信装置の制御方法であって、
前記第２の通信モードで前記外部無線通信装置を検索する検索工程と、
前記検索工程で前記外部無線通信装置が検出された場合に、前記第１の通信モードで前記外部無線通信装置との通信を行うように前記無線通信手段を制御する制御工程と
を有することを特徴とする制御方法。
【請求項１４】
前記第２の通信モードで検出した前記外部無線通信装置に応じて前記送受信手段の属性情報の設定を変える工程を更に有することを特徴とする請求項１３に記載の制御方法。
【請求項１５】
前記第１の通信モードで前記外部無線通信装置と通信している間、前記送受信手段を能動化し、それ以外の間、前記送受信手段を非能動化する能動化工程を更に有することを特徴とする請求項１３または１４に記載の制御方法。
【請求項１６】
前記送受信手段は前記外部装置から電源供給を受けて動作することを特徴とする請求項１０乃至１５のいずれか１項に記載の制御方法。
【請求項１７】
前記送受信手段は、ＵＳＢ通信規格に準拠したプロトコルデータを送受信する送受信手段であり、ＵＳＢのデバイスとして前記外部装置と接続することを特徴とする請求項１０乃至１６のいずれか１項に記載の制御方法。
【請求項１８】
前記送受信手段は、前記外部無線通信装置に応じて、ＵＳＢのディスクリプタ情報の少なくともひとつのフィールドの値を変えることを特徴とする請求項１７に記載の制御方法。
【手続補正２】
【補正対象書類名】明細書
【補正対象項目名】０００２
【補正方法】変更
【補正の内容】
【０００２】
従来より、コンピュータとデジタルカメラとをＵＳＢ（Ｕｎｉｖｅｒｓａｌ  Ｓｅｒｉａｌ  Ｂｕｓ）規格に準拠した有線による通信方式で接続して、データのやりとりを行うことが広くなされている。しかし、有線による通信方式の場合、ケーブルの接続に手間がかかったり、デジタルカメラのような携帯型機器の場合には、デジタルカメラと一緒にケーブルを持ち歩く必要があるなどの不便が生じていた。また、コネクタへの抜差しによってコネクタ部分が破損することが考えられるという問題もあった。
【手続補正３】
【補正対象書類名】明細書
【補正対象項目名】００２３
【補正方法】変更
【補正の内容】
【００２３】
上記第１の目的を達成するために、外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する本発明の無線通信装置は、前記外部装置と有線通信によりデータの送受信を行う送受信手段と、第１の無線通信手段と、前記第１の無線通信手段よりも低消費電力で動作する第２の無線通信手段と、前記第２の無線通信手段により前記外部無線通信装置を検索させ、検出された場合に、前記第１の無線通信手段により前記外部無線通信装置との通信を行うように制御する制御手段とを有する。
【手続補正４】
【補正対象書類名】明細書
【補正対象項目名】００２４
【補正方法】変更
【補正の内容】
【００２４】
また、外部装置と有線通信によりデータの送受信を行う送受信手段と、第１の無線通信手段と、前記第１の無線通信手段よりも低消費電力で動作する第２の無線通信手段とを有し、前記外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する無線通信装置の本発明の制御方法は、前記第２の無線通信手段により前記外部無線通信装置を検索する検索工程と、前記検索工程で前記外部無線通信装置が検出された場合に、前記第１の無線通信手段により前記外部無線通信装置との通信を行うように制御する制御工程とを有する。
【手続補正５】
【補正対象書類名】明細書
【補正対象項目名】００２５
【補正方法】変更
【補正の内容】
【００２５】
また、別の構成によれば、外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する本発明の無線通信装置は、前記外部装置と有線通信によりデータの送受信を行う送受信手段と、第１の通信モードと、該第１の通信モードよりも低消費電力で動作する第２の通信モードとで動作可能な無線通信手段と、前記第２の通信モードで前記外部無線通信装置を検索させ、検出された場合に、前記第１の通信モードで前記外部無線通信装置との通信を行うように前記無線通信手段を制御する制御手段とを有する。
【手続補正６】
【補正対象書類名】明細書
【補正対象項目名】００２６
【補正方法】変更
【補正の内容】
【００２６】
また、外部装置と有線通信によりデータの送受信を行う送受信手段と、第１の通信モードと、該第１の通信モードよりも低消費電力で動作する第２の通信モードとで動作可能な無線通信手段とを有し、前記外部装置から有線通信により受信したデータを変換して、変換したデータを無線通信により外部無線通信装置に送信すると共に、前記外部無線通信装置から無線通信により受信したデータを変換して、変換したデータを有線通信により前記外部装置に送信する無線通信装置の本発明の制御方法は、前記第２の通信モードで前記外部無線通信装置を検索する検索工程と、前記検索工程で前記外部無線通信装置が検出された場合に、前記第１の通信モードで前記外部無線通信装置との通信を行うように前記無線通信手段を制御する制御工程とを有する。
【手続補正７】
【補正対象書類名】明細書
【補正対象項目名】００２７
【補正方法】変更
【補正の内容】
【００２７】
また、上記第２の目的を達成するために、第２の無線通信手段または前記第２の通信モードで検出した前記外部無線通信装置に応じて前記送受信手段の属性情報の設定を変える。
【手続補正８】
【補正対象書類名】明細書
【補正対象項目名】００３８
【補正方法】変更
【補正の内容】
【００３８】
なお、以降の説明では、ＺｉｇＢｅｅ規格による低消費電力無線通信機能と区別するために、ＩＥＥＥ８０２．１１ｂ規格の無線通信機能を「高速無線通信機能」とも呼ぶ。なお、ここでいう「高速」とは、低消費電力無線通信（ここではＺｉｇＢｅｅ規格）よりもデータ転送速度が速いことを示すためのものであり、データ転送速度を特に数値的に限定するものではない。
【手続補正９】
【補正対象書類名】明細書
【補正対象項目名】０１１５
【補正方法】変更
【補正の内容】
【０１１５】
第１の実施形態の無線通信装置は、ＺｉｇＢｅｅなどの低消費電力無線通信機能と、ＩＥＥＥ８０２．１１ｂ規格など高速の無線通信機能の、消費電力が異なる２種類の無線通信機能を備える構成であった。これに対し、本第２の実施形態の無線通信装置では、ＩＥＥＥ８０２．１１ｂ規格の高速無線通信機能のみを備え、該無線通信機能が低消費電力で動作するモードと、高消費電力で動作するモードとを備える構成を有する。なお、本第２の実施形態における無線通信システムの構成は、図１または図２に示すものと同様であるため、説明を省略するが、無線通信措置１０２及びデジタルカメラ１０１の詳細構成は、第１の実施形態で図３を参照して説明したものと異なる。なお、本第２の実施形態では、図２に示す構成を有する無線通信システムを例に挙げて説明する。
【手続補正１０】
【補正対象書類名】明細書
【補正対象項目名】０１５４
【補正方法】変更
【補正の内容】
【０１５４】
また、無線通信装置１０２は、低消費電力モードでのＩＥＥＥ８０２．１１ｂ規格の無線通信によりデジタルカメラ１０１の存在を検知し、デジタルカメラ１０１の属性情報を取得し、この取得した属性情報を基にＵＳＢのディスクリプタ情報を設定する。また、変換プログラムが実行されてから、プリンタから送信されるＰＴＰのデータパケットをデジタルカメラに送信し、また、デジタルカメラから送信されるＰＴＰのデータパケットをプリンタに送信する。そのため、ＵＳＢホストからのＵＳＢデータパケットやＰＴＰデータパケットという形での要求に対して、無線通信装置１０２が代理で応答したり、仮の情報を返したりする必要が無くなる。従って、ＵＳＢホストとデジタルカメラ１０１との間で情報が不整合にならないようにすることができる。
【手続補正１１】
【補正対象書類名】明細書
【補正対象項目名】０１５７
【補正方法】変更
【補正の内容】
【０１５７】
更に、本第２の実施形態では、無線通信装置１０２とプリンタ２００間の有線通信機能としてＵＳＢ規格に準拠している場合について説明したが、勿論、その他の有線の通信規格に準拠していても良い。
【手続補正１２】
【補正対象書類名】明細書
【補正対象項目名】０１５８
【補正方法】変更
【補正の内容】
【０１５８】
また、本第２の実施形態における無線通信装置１０２がコンピュータ１００に接続された場合、コンピュータ１００側では以下のように制御することができる。すなわち、ＵＳＢホスト端子にＵＳＢデバイスが装着されたことを検知してから、画像データを処理するための回路や部品、ＵＳＢ通信のための回路などを能動化する。本第２の実施形態の無線通信装置１０２によれば、デジタルカメラ１０１を検索している間はＤ＋信号線をＰｕｌｌ  ｕｐしないためＵＳＢホストであるコンピュータ１００に無線通信装置１０２を認識させない。デジタルカメラ１０１の検索は長時間にわたることが考えられるため、その間のコンピュータ１００側の消費電力を効果的に低減することができる。